(57)【要約】【解決手段】風綿収集箱１の底部に無端コンベヤーベルト３を配設するとともに、前記風綿収集箱の側方に隣接して風綿圧縮箱２を配置し、前記無端コンベヤーベルトにより搬送されてくる風綿を、風綿圧縮箱内に下方から順次充填し、圧縮された風綿を、前記風綿圧縮箱の上部に配設された上部開口２ｄから排出させるように構成した風綿処理装置に関するものである。【効果】従来の風綿処理装置のように、上下方向に大きなスペースを必要としないので、その設置場所が制限されるようなことがない。【選択図】図１
2004211249.tif 000002
【特許請求の範囲】
【請求項１】
風綿収集箱の底部に無端コンベヤーベルトを配設するとともに、前記風綿収集箱の側方に隣接して風綿圧縮箱を配置し、前記無端コンベヤーベルトにより搬送されてくる風綿を、風綿圧縮箱内に下方から順次充填し、圧縮された風綿を、前記風綿圧縮箱の上部に配設された上部開口から排出させるように構成したことを特徴とする風綿処理装置。
【請求項２】
風綿収集箱の底部に配設された無端コンベヤーベルトの風綿搬送下流側上方に、風綿圧縮箱の下部開口を配置するとともに、前記無端コンベヤーベルトの風綿搬送下流側に、前記風綿圧縮箱の下部開口に向かって上方に傾斜した上方傾斜部を形成したことを特徴とする請求項１に記載の風綿処理装置。
【請求項３】
風綿収集箱の底部に配設されているとともに風綿搬送下流側が風綿圧縮箱側ローラーに張設された無端コンベヤーベルトにより搬送されてくる風綿を、前記無端コンベヤーベルトと前記風綿圧縮箱側ローラーの略真上に配置されている挟持ローラーとにより挟持し風綿圧縮箱の下部開口へ向けて搬送するように構成したことを特徴とする請求項１又は請求項２に記載の風綿処理装置。
【発明の詳細な説明】
【０００１】
【発明の属する技術分野】
本発明は、梳綿機や粗紡機や紡績機やワインダー等の種々の繊維機械において発生する風綿を、回収し圧縮する風綿処理装置に関するものである。
【０００２】
【従来の技術】
従来、収集された風綿を、シリンダー内に縦置きにスクリューコンベヤー型圧縮機を配置するとともに、スクリューコンベヤー型圧縮機の下方には、排出口に回動可能な加圧板を有する圧縮室が形成されている風綿処理装置が知られている。この風綿処理装置においては、シリンダーの上部から送り込まれた風綿は、スクリューコンベヤー型圧縮機により、順次、排出口が加圧板により閉鎖されている圧縮室に送られて圧縮室内において圧縮される。スクリューコンベヤー型圧縮機により圧縮室に充満された風綿が、所要の圧縮度に圧縮されると、排出口に配設された加圧板が開いて、圧縮された風綿が、圧縮室の排出口から押し出され、下方に配置された容器に収納されることになる。
【０００３】
上述した構成を有する風綿処理装置は、実開平１−８９９７５号公報に開示されている。
【０００４】
【発明が解決しようとする課題】
上述した従来の風綿処理装置は、シリンダー内に配置された縦置きにスクリューコンベヤー型圧縮機、スクリューコンベヤー型圧縮機の下方に配置された圧縮室及び加圧板により閉鎖された排出口の下方に配置された容器とから構成されており、従って、風綿処理装置を設置する際には、上下方向に大きなスペースを必要とし、その設置場所が制限されるという問題がある。
【０００５】
また、風綿を圧縮するためには、シリンダー内に、スクリューコンベヤー型圧縮機を配設するとともに、荷重により加圧された加圧板を排出口に配設する必要があり、風綿処理装置が大型化、複雑化するという問題がある。
【０００６】
本発明の目的は、上述した従来の風綿処理装置が有する課題を解決することにある。
【０００７】
【課題を解決するための手段】
本発明は、上述した目的を達成するために、第１には、風綿収集箱の底部に無端コンベヤーベルトを配設するとともに、前記風綿収集箱の側方に隣接して風綿圧縮箱を配置し、前記無端コンベヤーベルトにより搬送されてくる風綿を、風綿圧縮箱内に下方から順次充填し、圧縮された風綿を、前記風綿圧縮箱の上部に配設された上部開口から排出させるように構成したものであり、第２には、風綿圧縮箱の下部開口を、風綿収集箱の底部に配設された無端コンベヤーベルトの風綿搬送下流側の上方に配置するとともに、前記無端コンベヤーベルトの風綿搬送下流側に、前記風綿圧縮箱の下部開口に向かって上方に傾斜した上方傾斜部を形成したものであり、第３には、風綿収集箱の底部に配設されているとともに風綿搬送下流側が風綿圧縮箱側ローラーに張設された無端コンベヤーベルトにより搬送されてくる風綿を、前記無端コンベヤーベルトと前記風綿圧縮箱側ローラーの略真上に配置されている挟持ローラーとにより挟持し風綿圧縮箱の下部開口へ向けて搬送するように構成したものである。
【０００８】
【実施例】
以下に、本発明の実施例を、紡績機を例に説明するが、本発明の趣旨を越えない限り何ら、本実施例に限定されるものではない。
【０００９】
１は、平面形状が方形状の風綿収集箱であり、風綿収集箱１は、上方が開放されているとともに、底無しに形成されている。２は、風綿収集箱１の一方の相対する側壁１ａ、１ｂのうちの１つの側壁１ｂに隣接して配設された、平面形状が方形状の風綿圧縮箱であり、風綿圧縮箱２も、上方が開放されているとともに、底無しに形成されている。また、風綿圧縮箱２の底部には、下部開口２ｃが配設されている。下部開口２ｃは、無端コンベヤーベルト３の風綿搬送下流側の上方に配置されている。
【００１０】
３は、無端コンベヤーベルトであり、無端コンベヤーベルト３の水平な上部走行部３ａは、風綿収集箱１の底部を形成するように構成されている。無端コンベヤーベルト３は、風綿収集箱１の一方の相対する側壁１ａ、１ｂの下端部付近に配設されたローラー４ａ、４ｂと、風綿圧縮箱２の下方に配置されたローラー４ｃとに張設されており、風綿収集箱１の一方の相対する側壁１ａ、１ｂの下端部付近に配設されたローラー４ａ、４ｂは、所定の間隔を置いて略水平に並設されている。また、風綿圧縮箱２の下方に配置されたローラー４ｃは、該ローラー４ｃ側に配置された上記ローラー４ｂの斜め上方に位置するように配置されている。なお、便宜的に、風綿搬送方向の下流側であって、風綿圧縮箱２の下方に配置されたローラー４ｃの近くに配設された上記ローラー４ｂを、風綿圧縮箱側ローラー４ｂと称する。
【００１１】
５は、風綿圧縮箱側ローラー４ｂの略真上に配置されているとともに、無端コンベヤーベルト３の上部走行部３ａを、風綿圧縮箱側ローラー４ｂに押し付け、無端コンベヤーベルト３の上部走行部３ａを、風綿圧縮箱側ローラー４ｂと共働して挟持するための挟持ローラーである。６は、風綿収集箱１の下方に位置する機台に取着されたモーターであり、モーター６の出力軸６ａに取着されたプーリー７、風綿圧縮箱側ローラー４ｂの軸に取着されたプーリー４ｂ１及び風綿圧縮箱２の下方に配置されたローラー４ｃの軸に取着されたプーリー４ｃ１とには、駆動ベルト８が張設されている。モーター６の駆動により、風綿圧縮箱側ローラー４ｂと風綿圧縮箱２の下方に配置されたローラー４ｃとが回転駆動されるように構成されている。なお、９は、駆動ベルト８の弛み防止するための公知のテンションプーリーである。
【００１２】
１０は、風綿圧縮箱２に隣接して、その側方に配置された風綿回収箱であり、風綿回収箱１０の上部開口部１０ａは、風綿圧縮箱２の風綿回収箱１０側の側壁２ａの上端に形成された、下方に傾斜した案内板２ｂの下方に位置している。１１は、風綿圧縮箱２の下方に配置されたローラー４ｃに張設されている無端コンベヤーベルト３と、風綿圧縮箱２の風綿回収箱１０側の側壁２ａとにより形成される隅部を埋めるように、上記の側壁２ａに取着された風綿巻き込み防止部材である。
【００１３】
次に、上述した構成を有する風綿処理装置の作動について説明する。
【００１４】
作業者により、或いは、各種繊維機械に配設されたダストボックス等から搬送されてきた風綿は、風綿収集箱１に投入され、風綿収集箱１の底部を形成する無端コンベヤーベルト３の上部走行部３ａに載置される。無端コンベヤーベルト３の上部走行部３ａに載置された風綿は、風綿圧縮箱２方向を下流側として搬送され、風綿搬送下流側にて風綿圧縮箱側ローラー４ｂに張設されている無端コンベヤーベルト３と、風綿圧縮箱側ローラー４ｂの略真上に配置されている挟持ローラー５とにより挟持されるとともに、風綿圧縮箱側ローラー４ｂと該風綿圧縮箱側ローラー４ｂの斜め上方に配置されている風綿圧縮箱２の下方に配置されたローラー４ｃとに張設され、且つ、風綿圧縮箱側ローラー４ｂと挟持ローラー５とのニップ点Ｐ１から、風綿搬送下流側が風綿圧縮箱２の下部開口２ｃに向かって上方に傾斜している無端コンベヤーベルト３の上方傾斜部３ｂにより、風綿圧縮箱２の下部開口２ｃに向かって押し上げられるように搬送される。
【００１５】
上述したように、風綿圧縮箱２の下部開口２ｃに搬送された風綿は、無端コンベヤーベルト３により、順次後続して送られてくる風綿により押し上げられ、風綿圧縮箱２内に下方から順次充填されることになる。このように、風綿圧縮箱側ローラー４ｂと挟持ローラー５とのニップ点Ｐ１から、風綿圧縮箱２の下部開口２ｃに向かって上方に傾斜している無端コンベヤーベルト３の上方傾斜部３ｂにより、風綿圧縮箱２の下部開口２ｃに向かって押し上げられるように搬送される風綿は、風綿圧縮箱２内に下方から順次充填され、且つ、風綿圧縮箱２の下方に位置する風綿は、上に位置する風綿の重量により圧縮されることになる。圧縮されながら風綿圧縮箱２内を上方に押し上げられる風綿は、順次、風綿圧縮箱２の上部開口２ｄに到達し、その後、上部開口２ｄ付近に形成された案内板２ｂに沿って、風綿圧縮箱２から排出され、風綿回収箱１０に収容されることになる。
【００１６】
上述したように、風綿収集箱１に投入された風綿を、風綿収集箱１の底部に配設された無端コンベヤーベルト３により、風綿圧縮箱２方向に搬送するとともに、風綿圧縮箱２の下部開口２ｃに向かって上方に傾斜している無端コンベヤーベルト３の上方傾斜部３ｂにより、風綿を、風綿圧縮箱２の下部開口２ｃに向かって押し上げることにより、風綿圧縮箱２内に下方から順次充填するように構成したので、風綿圧縮箱２の下方に位置する風綿は、上に位置する充填された風綿により圧縮されて、その容積が減少しコンパクトになる。従って、風綿の運搬や袋詰め等の作業が容易になるとともに、風綿の飛散等を防止することができる。
【００１７】
また、無端コンベヤーベルト３の上部走行部３ａに載置され搬送される風綿を、風綿圧縮箱側ローラー４ｂに張設されている無端コンベヤーベルト３と風綿圧縮箱側ローラー４ｂの略真上に配置されている挟持ローラー５とにより挟持し、風綿圧縮箱２の下部開口２ｃ方向に送り出すように構成したので、風綿を、確実に、風綿圧縮箱２内に充填することができる。
【００１８】
更に、風綿収集箱１の底部に無端コンベヤーベルト３を配設するとともに、風綿収集箱１の側方に隣接して風綿圧縮箱２を配置し、無端コンベヤーベルト３により搬送されてくる風綿を、風綿圧縮箱２内に下方から順次充填し、圧縮された風綿を、風綿圧縮箱２の上部に配設された上部開口２ｄから排出させて、風綿圧縮箱２の側方に隣接して配置された風綿回収箱１０に収容するように構成したので、上述した従来の風綿処理装置のように、上下方向に大きなスペースを必要としないので、その設置場所が制限されるようなことがない。
【００１９】
更にまた、無端コンベヤーベルト３に、風綿圧縮箱２の下部開口２ｃに向かって上方に傾斜している上方傾斜部３ｂを形成したので、風綿の下部開口２ｃから風綿圧縮箱２内への押し上げ作用力がより大きくなり、従って、風綿圧縮箱２内への風綿の押し上げを確実に行うことができる。
【００２０】
なお更に、無端コンベヤーベルト３により搬送されてくる風綿を、下部開口２ｃから上部開口２ｄに向かって、風綿圧縮箱２内に下方から順次充填するように構成したので、上方から下方に向かって風綿を搬送する従来の風綿処理装置のように、風綿の排出口を、荷重で負荷された加圧板等により閉鎖しておく必要がなく、従って、風綿処理装置の構造を簡素化することができる。
【００２１】
【発明の効果】
本発明は、以上説明した構成を有しているので、以下に記載する効果を奏するものである。
【００２２】
風綿収集箱の底部に無端コンベヤーベルトを配設するとともに、前記風綿収集箱の側方に隣接して風綿圧縮箱を配置し、前記無端コンベヤーベルトにより搬送されてくる風綿を、風綿圧縮箱内に下方から順次充填し、圧縮された風綿を、前記風綿圧縮箱の上部に配設された上部開口から排出させるように構成したので、上述した従来の風綿処理装置のように、上下方向に大きなスペースを必要としないので、その設置場所が制限されるようなことがない。
【００２３】
風綿圧縮箱の下部開口を、風綿収集箱の底部に配設された無端コンベヤーベルトの風綿搬送下流側の上方に配置するとともに、前記無端コンベヤーベルトの風綿搬送下流側に、前記風綿圧縮箱の下部開口に向かって上方に傾斜した上方傾斜部を形成したので、風綿の下部開口から風綿圧縮箱内への押し上げ作用力がより大きくなり、従って、風綿圧縮箱内への風綿の押し上げを確実に行うことができる。
【００２４】
風綿収集箱の底部に配設されているとともに風綿搬送下流側が風綿圧縮箱側ローラーに張設された無端コンベヤーベルトにより搬送されてくる風綿を、前記無端コンベヤーベルトと前記風綿圧縮箱側ローラーの略真上に配置されている挟持ローラーとにより挟持し風綿圧縮箱の下部開口へ向けて搬送するように構成したので、風綿を、確実に、風綿圧縮箱内に充填することができる。
【図面の簡単な説明】
【図１】図１は本発明の風綿処理装置の断面図である。
【図２】図２は本発明の風綿処理装置の側断面図である。
【図３】図３は図１の要部拡大図である。
【符号の説明】
１・・・・・・・・・・・・・風綿収集箱
２・・・・・・・・・・・・・風綿圧縮箱
３・・・・・・・・・・・・・無端ベルトコンベヤー
４ａ、４ｂ、４ｃ・・・・・・ローラー
５・・・・・・・・・・・・・挟持ローラー
１０・・・・・・・・・・・・風綿回収箱
【図１】
2004211249.tif 000003
【図２】
2004211249.tif 000004
【図３】
2004211249.tif 000005